(57)【要約】【課題】  固定スクリューを使用せずとも，アクチュエータのピボット軸を堅固に固定させる。【解決手段】  ベース部材１１１と，ベース部材の上部に結合されるカバー部材１１２と，ベース部材に設けられたピボット軸１４１と，ピボット軸に回転可能に結合されるアクチュエータ１４０と，ピボット軸をカバー部材に固定させるためのピボット軸固定構造体と，を備える情報記憶装置であり，ピボット軸の上面に形成された突起挿入ホール１４５と，カバー部材の底面から突設されて突起挿入ホールに挿入される突起１４６と，カバー部材の底面とピボット軸の上面との間に介在されるように突起の外周に挟まれる可変性部材１４７と，を備える。【選択図】    図３
2005322393.tif 000002
【特許請求の範囲】
【請求項１】
情報記憶装置のピボット軸固定構造体であって，
アクチュエータを回転可能に支持するピボット軸の上面に形成された突起挿入ホールと，
カバー部材の底面から突設されて，前記突起挿入ホールに挿入される突起と，
前記カバー部材の底面と前記ピボット軸の上面との間に介在されるように，前記突起の外周に挟まれる可変性部材と，を備えることを特徴とするピボット軸固定構造体。
【請求項２】
前記情報記憶装置は，ハードディスクドライブであり，前記アクチュエータは，前記ハードディスクドライブの少なくとも一つのヘッドを移動させることを特徴とする，請求項１に記載のピボット軸固定構造体。
【請求項３】
前記可変性部材は，円形のリング状を有したことを特徴とする，請求項１または２のいずれかに記載のピボット軸固定構造体。
【請求項４】
前記可変性部材は，ゴム又はスポンジより構成されることを特徴とする，請求項１〜３のいずれかに記載のピボット軸固定構造体。
【請求項５】
前記突起は，前記カバー部材に一体で形成されたことを特徴とする，請求項１〜４のいずれかに記載のピボット軸固定構造体。
【請求項６】
前記突起の端部には，チャンファーが形成されたことを特徴とする，請求項１〜５のいずれかに記載のピボット軸固定構造体。
【請求項７】
前記ピボット軸は，前記ベース部材に固定された第１のピボット軸と，前記第１のピボット軸の上部に螺合される第２のピボット軸とよりなり，前記突起挿入ホールは，前記第２のピボット軸の上面に形成されたことを特徴とする，請求項１〜６のいずれかに記載のピボット軸固定構造体。
【請求項８】
前記ピボット軸は，その下端部が前記ベース部材に螺合されて固定されたことを特徴とする，請求項１〜７のいずれかに記載のピボット軸固定構造体。
【請求項９】
ベース部材と，
前記ベース部材の上部に結合されるカバー部材と，
前記ベース部材に設けられたピボット軸と，
前記ピボット軸に回転可能に結合されるアクチュエータと，
前記ピボット軸を前記カバー部材に固定させるためのものであり，前記ピボット軸の上面に形成された突起挿入ホールと，
前記カバー部材の底面から突設されて，前記突起挿入ホールに挿入される突起と，
前記カバー部材の底面と前記ピボット軸の上面との間に介在されるように前記突起の外周に挟まれる可変性部材と，
を備えることを特徴とする，情報記憶装置。
【請求項１０】
前記情報記憶装置は，ハードディスクドライブであり，前記アクチュエータは，前記ハードディスクドライブの少なくとも一つのヘッドを移動させることを特徴とする請求項９に記載の情報記憶装置。
【請求項１１】
前記可変性部材は，円形のリング状を有したことを特徴とする，請求項９または１０のいずれかに記載の情報記憶装置。
【請求項１２】
前記可変性部材は，ゴム又はスポンジより構成されることを特徴とする，請求項９〜１１のいずれかに記載の情報記憶装置。
【請求項１３】
前記突起は，前記カバー部材に一体に形成されたことを特徴とする，請求項９〜１２のいずれかに記載の情報記憶装置。
【請求項１４】
前記突起の端部には，チャンファーが形成されたことを特徴とする，請求項９〜１３のいずれかに記載の情報記憶装置。
【請求項１５】
前記ピボット軸は，前記ベース部材に固定された第１のピボット軸と，前記第１のピボット軸の上部に螺合される第２のピボット軸とよりなり，前記突起挿入ホールは，前記第２のピボット軸の上面に形成されたことを特徴とする，請求項９〜１４のいずれかに記載の情報記憶装置。
【請求項１６】
前記ピボット軸は，その下端部が前記ベース部材に螺合されて固定されたことを特徴とする，請求項９〜１５のいずれかに記載の情報記憶装置。
【請求項１７】
情報記憶装置のピボット軸固定構造体であって，
前記情報記憶装置のピボット軸をカバー部材に結合する手段と，
前記カバー部材の底面と前記ピボット軸の上面との間に介在され，前記結合手段近くに配置された可変性部材と，を備えることを特徴とする，ピボット軸固定構造体。
【請求項１８】
前記情報記憶装置は，ハードディスクドライブであり，前記ピボット軸は，少なくとも一つのヘッドを移動させるアクチュエータを回転可能に支持することを特徴とする請求項１７に記載のピボット軸固定構造体。
【請求項１９】
前記可変性部材は，円形のリング状を有したことを特徴とする請求項１７または１８のいずれかに記載のピボット軸固定構造体。
【請求項２０】
前記可変性部材は，ゴム又はスポンジよりなったことを特徴とする請求項１７〜１９のいずれかに記載のピボット軸固定構造体。
【発明の詳細な説明】
【技術分野】
【０００１】
本発明は，ハードディスクドライブのような情報記憶装置に係り，より詳しくはアクチュエータのピボット軸を堅固に固定させるためのピボット軸固定構造体とこれを備えた情報記憶装置に関する。
【背景技術】
【０００２】
コンピュータの情報記憶装置のうち一つであるハードディスクドライブ（Ｈａｒｄ  Ｄｉｓｋ  Ｄｒｉｖｅ；ＨＤＤ）は，読み取り／書き取りヘッド（ｒｅａｄ／ｗｒｉｔｅ  ｈｅａｄ）を使用してディスクに記憶されたデータを再生するか，或いはディスクにデータを記録する装置である。こうしたハードディスクドライブにおいて，上記ヘッドは回転するディスクの記録面から所定高さ浮上した状態でアクチュエータにより所望の位置に移動しつつその機能を遂行する。
【０００３】
図１は，従来のハードディスクドライブの構造を概略的に示した分解斜視図であり，図２は図１に示された従来のＨＤＤのピボット軸固定構造を示す部分断面図である。
【０００４】
図１と図２とを共に参照すれば，ＨＤＤのベース部材１１には，ディスク２０を回転させるためのスピンドルモーター３０と，データの記録及び再生のための読み取り／書き取りヘッドをディスク２０上の所望の位置に移動させるアクチュエータ４０が設けられる。
【０００５】
アクチュエータ４０は，ベース部材１１に固設されたピボット軸４１に回転可能に結合されたスイングアーム４２と，スイングアーム４２の一側端部に設けられて，ヘッドが搭載されたスライダーをディスク２０の表面側に付勢されるように支持するサスペンション４３と，スイングアーム４２を回転させるためのボイスコイルモーター（Ｖｏｉｃｅ  Ｃｏｉｌ  Ｍｏｔｏｒ；ＶＣＭ）５０と，を有する。ＶＣＭ５０は，サーボ制御システムにより制御され，スイングアーム４２の他側端部に結合されたＶＣＭコイル５２に入力される電流と，ＶＣＭコイル５２と対面するように配置されたマグネット５４，５６により形成された磁場との相互作用により，フレミングの左手の法則に従う方向にスイングアーム４２を回転させる。すなわち，ディスクドライブの電源がオンになって，ディスク２０が回転し始めれば，ＶＣＭ５０は，スイングアーム４２を反時計方向に回転させて，ヘッドをディスク２０の記録面上に移動させる。逆に，ディスクドライブの電源がオフになってディスク２０の回転が停止すれば，ＶＣＭ５０はスイングアーム４２を時計方向に回転させて，ヘッドをランプ６０にパーキングさせる。
【０００６】
そして，ベース部材１１の上部には，カバー部材１２が多数のカバー締結スクリュー１９を使用して組み立てられる。カバー部材１２は，ディスク２０やアクチュエータ４０などを包んで保護し，ディスクドライブの内部に塵や湿気が流入されることを防止する役割を果たす。カバー部材１２には，ディスク２０とカバー部材１２との間隔を縮めてディスク２０の振動を低減させるためのグルーブ１３が設けられている。
【０００７】
ピボット軸４１は，いろいろの構造を有することができ，図２にはその一例が示されている。図２に示されたピボット軸４１は，ベース部材１１に固定された第１のピボット軸４１ａと，第１のピボット軸４１ａの上部に螺合される第２のピボット軸４１ｂとから構成されている。
【０００８】
ディスクドライブの作動時に，外部からの衝撃及びＨＤＤ自体の振動によるピボット軸４１の振れと，これによるアクチュエータ４０の動きとを防止するために，ピボット軸４１は，その下端部だけではなく，その上端部も固定される必要がある。このため，従来には，ピボット軸４１の上面，すなわち第２のピボット軸４１ｂの上面にスクリュー締合ホール４５を形成し，このスクリュー締合ホール４５にピボット固定スクリュー４９を締結ることによって，ピボット軸４１の上端部をカバー部材１２に固定させた。ピボット固定スクリュー４９は，カバー部材１２に形成された貫通ホール１５を通じてスクリュー締合ホール４５に締結される。
【０００９】
【特許文献１】米国特許第５，５６８，３４１号明細書
【発明の開示】
【発明が解決しようとする課題】
【００１０】
ところで，上記のような構成を有したＨＤＤにおいては，ベース部材１１にカバー部材１２を結合させるため一般に６個のカバー締結スクリュー１９が使用されるだけではなく，ピボット軸４１をカバー部材１２に固定させるため１個のピボット固定スクリュー４９が使用される。このように，ＨＤＤの組立て時に多くのスクリュー１９，４９が使用されることによって，組立て時間及びコストが多く所要するという短所がある。そして，多くのスクリュー１９，４９の巻きと緩みにより金属と金属との接触が頻繁に発生することによって，金属粒子が発生し，こうした金属粒子は，ディスク２０の表面にスクラッチを発生させるか，或いはヘッドに損傷を加えてその性能低下を誘発させるという問題点がある。
【００１１】
そして，一般に電動ドライブを使用してピボット固定スクリュー４９を締結するが，この際，アクチュエータ４０に衝撃が加えられてヘッドとディスク２０との間に衝突が発生することがあり，これによりヘッドの性能低下とディスク２０の表面の損傷とを惹起することがある。また，電動ドライブによりピボット固定スクリュー４９を締結するとき，その締結トルクが十分でなければ，ピボット固定スクリュー４９が緩む可能性が高く，これによりピボット軸４１とアクチュエータ４０とが甚だしく振れるという問題点が発生することがある。
【００１２】
また，ピボット固定スクリュー４９と，ピボット軸４１の上面に形成されたスクリュー締合ホール４５とが正確に同軸上に一致しない状態でピボット固定スクリュー４９の締結がなされれば，アクチュエータ４０の回転時に，自体振動誘発及び耐衝撃特性の低下によりディスクドライブの信頼性に深刻な影響を及ぼす。そして，ピボット固定スクリュー４９がスクリュー締合ホール４５に斜めにむりに締結された場合には，ディスクドライブの不良発生による分解作業時に，金属粒子が発生する可能性が非常に高い。また，ピボット固定スクリュー４９がスクリュー締合ホール４５から緩まないことにより，ディスクドライブ自体を使用できないという致命的な不良を起こす場合も発生しうる。こうした問題点は，ピボット固定スクリュー４９が電動ドライブによりあまり強いトルクで締結された場合にも発生する可能性がある。
【００１３】
そこで，本発明はこのような問題に鑑みてなされたもので，その目的とするところは，固定スクリューを使用せずとも，ピボット軸を堅固に固定させることが可能な，新規かつ改良されたピボット軸固定構造体および情報記憶装置を提供するところにある。
【００１４】
また，本発明の他の目的は，ピボット軸固定構造体を備えることによって，組立て生産性及び信頼性が向上された情報記憶装置を提供するところにある。
【課題を解決するための手段】
【００１５】
上記課題を解決するために，本発明のある観点によれば，情報貯蔵記憶装置のピボット軸固定構造体であって，アクチュエータを回転可能に支持するピボット軸の上面に形成された突起挿入ホールと，カバー部材の底面から突設されて，突起挿入ホールに挿入される突起と，カバー部材の底面と前記ピボット軸の上面との間に介在されるように，突起の外周に挟まれる可変性部材と，を備えることを特徴とする情報貯蔵記憶装置のピボット軸固定構造体が提供される。
【００１６】
上記情報貯蔵記憶装置は，ハードディスクドライブであり，アクチュエータは，ハードディスクドライブの少なくとも一つのヘッドを移動させてもよい。
【００１７】
上記可変性部材は，円形のリング状を有するようにしてもよい。上記可変性部材は，ゴム又はスポンジよりなった構成されるようにしてもよい。
【００１８】
上記突起は，カバー部材に一体で形成されるようにしてもよい。上記突起の端部には，チャンファーが形成されるようにしてもよい。
【００１９】
上記ピボット軸は，ベース部材に固定された第１のピボット軸と，第１のピボット軸の上部に螺合される第２のピボット軸とからなり，上記突起挿入ホールは，第２のピボット軸の上面に形成されるようにしてもよい。上記ピボット軸は，その下端部がベース部材に螺合されて固定されるようにしてもよい。
上記課題を解決するために，本発明の別の観点によれば，ベース部材と，ベース部材の上部に結合されるカバー部材と，ベース部材に設けられたピボット軸と，ピボット軸に回転可能に結合されるアクチュエータと，ピボット軸をカバー部材に固定させるためのものであり，ピボット軸の上面に形成された突起挿入ホールと，カバー部材の底面から突設されて，突起挿入ホールに挿入される突起と，カバー部材の底面とピボット軸の上面との間に介在されるように突起の外周に挟まれる可変性部材と，を備えることを特徴とする，情報記憶装置が提供される。
【００２０】
上記情報記憶装置は，ハードディスクドライブであり，上記アクチュエータは，ハードディスクドライブの少なくとも一つのヘッドを移動させてもよい。上記可変性部材は，円形のリング状を有するようにしてもよい。上記可変性部材は，ゴム又はスポンジより構成されてもよい。上記突起は，カバー部材に一体に形成されてもよい。上記突起の端部には，チャンファーが形成されてもよい。
【００２１】
上記ピボット軸は，ベース部材に固定された第１のピボット軸と，第１のピボット軸の上部に螺合される第２のピボット軸とよりなり，突起挿入ホールは，第２のピボット軸の上面に形成されてもよい。上記ピボット軸は，その下端部がベース部材に螺合されて固定されてもよい。
【００２２】
上記課題を解決するために，本発明の別の観点によれば，情報記憶装置のピボット軸固定構造体であって，情報記憶装置のピボット軸をカバー部材に結合する手段と，カバー部材の底面とピボット軸の上面との間に介在され，結合手段近くに配置された可変性部材と，を備えることを特徴とする，情報記憶装置のピボット軸固定構造体が提供される。
【００２３】
上記情報記憶装置は，ハードディスクドライブであり，ピボット軸は，少なくとも一つのヘッドを移動させるアクチュエータを回転可能に支持してもよい。上記可変性部材は，円形のリング状を有するようにしてもよい。上記可変性部材は，ゴム又はスポンジからなるようにしてもよい。
【発明の効果】
【００２４】
以上説明したように，本発明によれば，ＨＤＤの組立てに使用されるスクリューの数が減少されて，ディスクドライブの組立て時間及びコストが低減され，金属と金属との摩擦による金属粒子が発生する可能性を減少することができる。従って，金属粒子によるディスク及びヘッドの損傷及び性能低下を抑制することができる。
【００２５】
また，本発明によるＨＤＤの組立て作業において，電動ドライブを使用したピボット固定スクリューの締結工程がないため，電動ドライブからアクチュエータに加えられる衝撃により，ヘッドの性能が低下するか，或いはディスクの表面が損傷されるという従来の問題点が解消されうる。また，電動ドライブによるピボット固定スクリューの締結トルクがあまり大きいか，或いはピボット固定スクリューがスクリュー締合ホールにずれてむりに挟まれることにより，ピボット固定スクリューがスクリュー締合ホールから取り出せないという従来の問題点が解消されうる。
【００２６】
また，本発明によれば，可変性部材がピボット軸の上面を弾性加圧するため，電動ドライブによるピボット固定スクリューの締結トルクが不十分なことによって，ピボット軸とアクチュエータとに振れが発生するという従来の問題点も解消されうる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
図３は，本発明の好適な実施形態によるピボット軸固定構造体が採用されたＨＤＤを示した分解斜視図であり，図４は図３に示された本発明によるピボット軸固定構造体を示したＨＤＤの部分断面図である。
【００２９】
図３と図４とを共に参照すれば，本発明によるＨＤＤには，ベース部材１１１と，カバー部材１１２と，アクチュエータ１４０と，アクチュエータ１４０を回転可能に支持するピボット１４１と，ピボット軸１４１を固定させるためのピボット軸固定構造体が備えられる。
【００３０】
ベース部材１１１は，一般的にアルミニウム又はアルミニウム合金よりなり，ダイキャスティングにより製造されうる。こうしたベース部材１１１の上面側には，データ記憶用ディスク１２０，スピンドルモーター１３０及びアクチュエータ１４０などを収容するための空間が形成される。
【００３１】
スピンドルモーター１３０は，ディスクドライブのベース部材１１１に設けられる。このスピンドルモーター１３０のハブには，少なくとも一つのディスク１２０が設けられてハブと共に回転される。アクチュエータ１４０は，データの記録及び再生のための読み取り／書き取りヘッドをディスク１２０上の所定位置に移動させるためのものであり，スイングアーム１４２と，サスペンション１４３と，ＶＣＭ１５０と，を有する。スイングアーム１４２は，ベース部材１１１に固設されたピボット軸１４１に回転可能に結合される。
【００３２】
サスペンション１４３は，スイングアーム１４２の先端部に結合されて，ヘッドが搭載されたスライダーをディスク１２０の表面側へ付勢されるように支持する。ＶＣＭ１５０は，スイングアーム１４２を回転させるための駆動力を提供するものであり，スイングアーム１４２の後端部に結合されたＶＣＭコイル１５２と，ＶＣＭコイル１５２と対面するようにその上側と下側に配置されたマグネット１５４，１５６と，を有する。
【００３３】
こうしたＶＣＭ１５０は，サーボ制御システムにより制御され，ＶＣＭコイル１５２に入力される電流とマグネット１５４，１５６により形成された磁場の相互作用によりフレミングの左手の法則による方向にスイングアーム１４２を回転させる。すなわち，ディスクドライブの電源がオンになってディスク１２０が回転し始めれば，ＶＣＭ１５０は，スイングアーム１４２を反時計方向に回転させて，ヘッドをディスク１２０の記録面上に移動させる。逆に，ディスクドライブの電源がオフになってディスク１２０の回転が停止すれば，ＶＣＭ１５０は，スイングアーム１４２を時計方向に回転させてヘッドがディスク１２０を外れるようにする。この際，ディスク１２０の記録面を外れたヘッドは，ディスク１２０の外側に設けられたランプ１６０にパーキングされる。
【００３４】
カバー部材１１２は，ベース部材１１１の上部に結合されて，ディスク１２０，スピンドルモーター１３０及びアクチュエータ１４０などを包んで保護する役割と共に，ディスクドライブの内部に塵や湿気が流入されることを防止し，ディスクドライブの内部から発生された騒音が外部に伝播されることを遮断する役割を果たす。カバー部材１１２は多数の，例えば６個のカバー締結スクリュー１１９を使用してベース部材１１１に結合される。
【００３５】
カバー部材１１２には，グルーブ１１３が形成されうる。このグルーブ１１３は，ディスク１２０とカバー部材１１２との間隔を縮めて，ディスク１２０の振動を低減させるためのものであって，カバー部材１１２の剛性を強める役割も果たす。ピボット軸固定構造体は，ピボット軸１４１をカバー部材１１２に固定させるためのものであり，これでディスクドライブの作動時に，外部からの衝撃及びディスクドライブ自体の振動によるピボット軸１４１の振れと，これによるアクチュエータ１４０の動きとを防止する役割を果たす。
【００３６】
こうした役割を果たす本発明によるピボット軸固定構造体は，カバー部材１１２の底面に形成された突起１４６と，ピボット軸１４１の上面中心に形成されて突起１４６が挿入される突起挿入ホール１４５とを備える。突起挿入ホール１４５は，ピボット軸１４１の中心に形成される。
【００３７】
そして，本発明によるピボット軸固定構造体は，カバー部材１１２の底面とピボット軸１４１の上面との間に配置され，突起１４６の外周に挟まれる可変性部材（ｄｅｆｏｒｍａｂｌｅ  ｍｅｍｂｅｒ）１４７をさらに備える。可変性部材１４７は，カバー部材１１２の底面に付着されうる。可変性部材１４７は，所定の弾性と緩衝性とを有した物質，例えばゴム又は衝撃を吸収することができる圧縮性物質，例えばスポンジよりなりうる。そして，可変性部材１４７は，円形のリング状を有することが望ましい。
【００３８】
突起１４６は，カバー部材１１２の底面からピボット軸１４１と同軸に所定高さ突出されるように形成される。そして，突起１４６の端部には，チャンファー（ｃｈａｍｆｅｒ）１４６ａを形成するようにしてもよい。チャンファー１４６ａは，突起１４６が突起挿入ホール１４５により容易に挿入されうるためのものである。突起１４６は，カバー部材１１２に一体に形成されうる。具体的に，カバー部材１１２は，通常的にステンレス鋼板のプレス成型により製造されるが，この際，突起１４６もカバー部材１１２と共にプレス成型により一体に形成されうる。
【００３９】
ピボット軸１４１は，アクチュエータ１４０のスイングアーム１４２を回転可能に支持する役割を果たすものであり，ベース部材１１１に固定された第１のピボット軸１４１ａと，第１のピボット軸１４１ａの上部に螺合される第２のピボット軸１４１ｂとよりなりうる。第１のピボット軸１４１ａの下端部は，ベース部材１１１に固設される。具体的に，第１のピボット軸１４１ａの下端部は，ベース部材１１１に一体に形成されうる。第１のピボット軸１４１ａの上端部には，第２のピボット軸１４１ｂが螺合される。
【００４０】
突起挿入ホール１４５は，第２のピボット軸１４１ｂの上面中心に形成される。カバー部材１１２がベース部材１１１に結合されたとき，突起挿入ホール１４５には，カバー部材１１２に設けられた突起１４６が挿入される。そして，突起挿入ホール１４５の直径は，突起１４６の直径より若干広いことが望ましい。これは，カバー締結スクリュー１１９を使用して，カバー部材１１２をベース部材１１１に結合するとき，突起１４６の中心と突起挿入ホール１４５の中心とが若干ずれても突起１４６が突起挿入ホール１４５に容易に挿入されうるためのものである。また，この場合には，突起１４６の中心と突起挿入ホール１４５の中心とがずれることによって発生しうるピボット軸１４１の傾斜が防止される。
【００４１】
カバー部材１１２がベース部材１１１に結合されたとき，可変性部材１４７は，ピボット軸１４１の上面を弾性加圧し，これによりピボット軸１４１の上端部は，カバー部材１１２に堅固に固定される。このように，ピボット軸１４１の下端部は，ベース部材１１１に固定され，その上端部は，突起１４６と可変性部材１４７とによりカバー部材１１２に堅固に固定されることによって，ディスクドライブの作動時に外部からの衝撃やディスクドライブの自体振動によっても，ピボット軸１４１の振れが発生しない。特に，可変性部材１４７は，弾性と緩衝性とを有した物質よりなるため，ピボット軸１４１を通じてアクチュエータ１４０に伝達される衝撃や振動を減衰させることができ，これによりピボット軸１４１とアクチュエータ１４０の振れをより効果的に防止することができる。
【００４２】
図５は，本発明によるピボット軸固定構造体が異なる構造を有したピボット軸に適用された例を示すＨＤＤの部分断面図である。図５を参照すれば，ＨＤＤには，一つの本体よりなるピボット軸２４１が使用され，このピボット軸２４１は，その下端部がピボット支持スクリュー２４９によりベース部材１１１に螺合されることによって，ベース部材１１１に固設される。そして，このように一つの本体よりなるピボット軸２４１の上面にカバー部材１１２に形成された突起１４６が挿入される突起挿入ホール２４５が形成される。
【００４３】
一方，ＨＤＤには，図４と図５に示されたピボット軸１４１，２４１以外にも多様な構造を有したピボット軸が使用され，かかる多用な構造を有したピボット軸にも本発明によるピボット軸固定構造体が適用されうる。
【００４４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４５】
本発明は，固定スクリューを使用せずとも，アクチュエータのピボット軸を堅固に固定させることができるピボット軸固定構造体と，これを備えたＨＤＤとに適用可能である。
【図面の簡単な説明】
【００４６】
【図１】従来のＨＤＤの構造を概略的に示した分解斜視図である。
【図２】図１に示された従来のＨＤＤのピボット軸固定構造を示す部分断面図である。
【図３】本発明の一実施形態によるピボット軸固定構造体が採用されたＨＤＤを示した分解斜視図である。
【図４】同実施の形態にかかるピボット軸固定構造体を示したＨＤＤの部分断面図である。
【図５】同実施の形態にかかるピボット軸固定構造体が異なる構造を有したピボット軸に適用された例を示すＨＤＤの部分断面図である。
【符号の説明】
【００４７】
１１１        ベース部材
１１２        カバー部材
１１３    グルーブ
１１９    カバー締結スクリュー
１２０    ディスク
１３０    スピンドルモーター
１４０    アクチュエータ
１４１    ピボット軸
１４１ａ    第１のピボット軸
１４１ｂ    第２のピボット軸
１４２    スイングアーム
１４３    サスペンション
１４５    突起挿入ホール
１４６    突起
１４６ａ    チャンファー
１４７    可変性部材
１５０    ＶＣＭ
１５２    ＶＣＭコイル
１５４，１５６    マグネット
１６０    ランプ
【図１】
2005322393.tif 000003
【図２】
2005322393.tif 000004
【図３】
2005322393.tif 000005
【図４】
2005322393.tif 000006
【図５】
2005322393.tif 000007